(57)【要約】【課題】通常再生中に過去の字幕情報を効率的に検索してその見直しが容易で、希望の過去の字幕情報を含む映像シーンの頭出し制御を行って通常再生を行う光ディスク再生装置を提供する。【解決手段】通常再生中に既提示した字幕情報とその字幕情報の提示時刻情報とを字幕情報テーブル８に順次収納し、字幕情報テーブル８の収納情報に基づいて字幕履歴画面を形成し、形成した字幕履歴画面を用いて希望する字幕情報を選択し、その字幕の内容を確認することができ、また、選択した字幕情報に基づいてその字幕情報を含む映像シーンに遡って再確認をしたい場合、字幕情報テーブル８に収納された当該字幕情報の提示時刻情報を取得し、取得した提示時刻情報を用いて当該字幕情報を含む映像シーンの頭出し再生を行い、映像シーンとそれに伴う字幕情報との表示により字幕の内容を確認することができる。【選択図】図１
2007158959.tif 000002
【特許請求の範囲】
【請求項１】
映像情報とそれに同期再生される音声及び字幕情報を含むプレゼンテーション情報と、前記プレゼンテーション情報の再生制御に用いるナビゲーション情報とを記録した光ディスクの再生を行う光ディスク再生装置であって、前記光ディスクの符号化記録情報を読み出す情報読出部と、読み出した符号化映像情報を復号する映像復号部と、読み出した符号化音声情報を復号する音声復号部と、符号化字幕情報を復号する字幕復号部と、通常再生中に前記字幕復号部で復号した字幕情報とその提示時刻情報との組合わせ情報を所定数記憶する字幕情報テーブルと、復号した映像情報を選択的に拡大・縮小する映像情報スケーラ部と、前記字幕情報テーブルから抽出した複数の提示済字幕情報を配置した字幕履歴画面を形成する字幕履歴構成部と、通常レベルの映像情報またはレベル拡大・縮小した映像情報を選択するとともに、通常再生時の字幕情報または前記字幕履歴画面を選択する情報切替部と、前記情報切替部で選択した２つの情報を合成する情報合成部と、各部を統括制御するシステムコントローラと、キー操作により前記システムコントローラの制御内容を選択するリモートコントロール部とを備え、前記システムコントローラは、前記字幕履歴画面上の複数の字幕情報から所望の字幕情報が選択された際、その選択された字幕情報の提示時刻を前記字幕情報テーブルから取得し、前記光ディスクに記録されたナビゲーション情報を用いてそのコンテンツを前記提示時刻から頭出し再生する制御手段を備えていることを特徴とする光ディスク再生装置。
【請求項２】
前記字幕履歴構成部は、再生時間軸過去方向に提示順に画面上に複数個の提示済字幕情報を字幕履歴情報として列挙配置するもので、字幕履歴情報の再構成をする際、現在の複数個の提示済字幕情報を、全て変更して再構成するか、一部の提示済み字幕のみを入れ替えた再構成するかを選択的に切り替えることが可能に形成され、現在表示中の字幕履歴情報に所望の字幕情報がない場合に、前記のどちらかの再構成手段によって字幕履歴情報の再構成をするかを指示する提示済字幕情報再構成選択手段により前記字幕履歴構成部の再構成手段が選択されることを特徴とする請求項１に記載の光ディスク再生装置。
【発明の詳細な説明】
【技術分野】
【０００１】
本発明は、光ディスクに記録されたプレゼンテーション情報を再生する光ディスク再生装置に係わり、特に、プレゼンテーション情報が少なくとも映像情報、音声情報、字幕情報からなり、表示時に映像情報とその映像情報に対応した字幕情報との合成画像を得ることができる光ディスク再生装置に関する。
【背景技術】
【０００２】
一般に、光ディスクとして代表的なものは、ＤＶＤ（Ｄｉｇｉｔａｌ  Ｖｅｒｓａｔｉｌｅ  Ｄｉｓｋ）と呼ばれる記録媒体を挙げることができるもので、このＤＶＤには、映像情報等のプレゼンテーション情報と、このプレゼンテーション情報の再生制御のためのナビゲーション情報とが記録されている。この場合、ＤＶＤには、映画等の映像情報の他にプレゼンテーション情報として、オリジナル言語や吹き替え言語等の複数の音声情報や、複数の言語からなる字幕情報が記録されており、ユーザが所望する音声情報と字幕情報とを組み合わせて再生することができる。
【０００３】
このようなＤＶＤを再生するＤＶＤプレイヤ（光ディスク再生装置に相当するもので、以下、これを光ディスク再生装置という）は、ＤＶＤに記録されたナビゲーション情報やプレゼンテーション情報に含まれる時刻情報を参照することにより、表示時に特定のシーンからの再生を開始（シーンジャンプ或いはチャプタージャンプ）する機能が実現できるもので、光ディスク再生装置には、再生速度を段階的に変更する早送りキー及び早戻しキーや、コマ送りキーやコマ戻しキーを備えているのが普通である。
【０００４】
ところで、光ディスク再生装置には、ＤＶＤの再生時に、再生中の外国語タイトル等のセリフをよく聞き取ることができなかった場合、その部分のセリフを再度確認するために、通常再生時における字幕開始タイミング及び字幕終了タイミングを検出し、検出した単位字幕毎に再生位置情報を保持させ、この再生位置情報を利用すれば、所望のセリフが開始されるとこまで表示画像を後戻させ、そこから通常再生を再開すること（リプレイ）を可能とする光ディスク再生装置が知られており、その例としては、特開２００３−２３６０７号に開示のものがある。
【０００５】
また、この種の他の光ディスク再生装置としては、過去に表示した字幕情報の再確認を行うことができるように、提示済字幕情報をメモリに記録しておき、ユーザがこれらの提示済字幕情報のいずれかを必要とした場合、ユーザの指示によって現在表示されている映像情報に、過去に表示された字幕情報を合成して出力できるようにした光ディスク再生装置が知られており、その例としては、特開２００４−２１３８３２号に開示のものがある。
【特許文献１】特開２００３−２３６０７号
【特許文献２】特開２００４−２１３８３２号
【発明の開示】
【発明が解決しようとする課題】
【０００６】
光ディスク再生装置を用いてＤＶＤを再生させ、例えば、洋画等の映像情報の視聴を行っている際に、ユーザが表示されている字幕情報から得る情報内容が当該コンテンツの内容を理解する上で大きな比重を占めることがある。そして、不慣れな外国語圏の映画を母国語に翻訳した字幕表示とともに鑑賞するようなケースにおいては、字幕情報から得る情報内容がかなり重要なウエイトを占めている。
【０００７】
この場合、外国語音声情報と母国語字幕情報による映画を鑑賞する際を想定すると、母国語字幕情報の表示は、それに対応する映像情報の表示及び外国語音声情報の発声に同期して行われるため、例えば、登場人物が会話を行っているシーンでは、字幕表示の更新速度が速く（単位時間当たりの更新頻度が高く）なる場合があり、一方、説明的な要素を多く含んだナレーション等のシーンでは、単位時間当たりの情報量が多くなっており、その他に、字幕表示が全く行われない映像シーンが続く場合もあるというように、字幕表示は映像表示と比較したとき断続的かつ粗密状態に配置されているものである。
【０００８】
ところで、前述のように、単位時間当たりの字幕表示の頻度が高くなれば、ユーザは、字幕表示を見落したり、字幕表示を注視するあまり、映像シーンの全体内容を把握できない場合もある。このようなときに、ユーザは、光ディスク再生装置の早戻しキーやコマ戻しキーを駆使し、もう一度確認したい字幕表示や見逃した字幕表示を含む映像シーンまで後戻しさせ、そこから再度再生を行い、見落とした字幕表示内容を把握することになる。しかし、字幕表示を行っている期間は、時間的に一定間隔でなく、映像情報の更新表示間隔と無関係であるため、映像情報フレームの更新間隔が基準であるこれまでの早戻しキーやコマ戻しキーの操作を行っただけでは、戻し足りなかったり、戻し過ぎたりし、ユーザが意図している字幕情報を含んだ映像シーンを効率的かつ的確に頭出しすることは難しかった。
【０００９】
これに対して、前記特開２００３−２３６０７号（特許文献１）に開示の光ディスク再生装置は、単位字幕毎に保持させた再生位置情報を利用することにより、表示内容をあるセリフ箇所まで戻した後で通常再生を再開すれば、単位字幕による戻し再生制御を実現することができるもので、前記問題を解消する一つの手法であるということはできるものの、字幕情報を見直したい映像シーンが、単位字幕について何単位前に表示されたものであるかが不明であるとすれば、的確に映像シーンを戻す再生制御を行うことは難しいものであり、一方、所望の字幕情報を含んだ映像シーンを見い出すまで、例えば、単位字幕の戻りキーを連続して操作することにより、すなわち１回毎の操作により過去方向に遡った単位字幕の再生制御を繰り返す場合は、その都度、光ディスク再生装置のピックアップ制御と映像情報、字幕情報の頭出し、復号処理及び合成処理が必要であり、１回当たりの処理量が大きくなるために操作感を損う可能性がある。
【００１０】
また、特開２００４−２１３８３２号（特許文献２）に開示の光ディスク再生装置は、提示済字幕情報を記憶することにより、光ディスク再生装置のピックアップ制御や字幕のデコード処理を行わずに、字幕情報を見直すことができることができるものであるが、出力表示画面は、操作時の映像情報と提示済字幕情報との合成映像が表示されるだけであって、字幕表示内容だけを再確認したいとき以外、すなわち過去のある字幕情報を含んだ映像シーンを再生し、その内容を再確認したい場合には、決して有効な手段とはならないものである。
【００１１】
本発明は、このような技術的背景に鑑みてなされたもので、その目的は、通常再生中に過去の字幕情報を効率的に検索して見直すことが容易で、希望により過去の字幕情報を含んだ映像シーンの頭出し制御を行って通常再生を再開できる光ディスク再生装置を提供することにある。
【課題を解決するための手段】
【００１２】
前記目的を達成するために、本発明による光ディスク再生装置は、映像情報とそれに同期再生される音声及び字幕情報を含むプレゼンテーション情報と、前記プレゼンテーション情報の再生制御に用いるナビゲーション情報とを記録した光ディスクの再生を行う光ディスク再生装置であって、前記光ディスクの符号化記録情報を読み出す情報読出部と、読み出した符号化映像情報を復号する映像復号部と、読み出した符号化音声情報を復号する音声復号部と、符号化字幕情報を復号する字幕復号部と、通常再生中に前記字幕復号部で復号した字幕情報とその提示時刻情報との組合わせ情報を所定数記憶する字幕情報テーブルと、復号した映像情報を選択的に拡大・縮小する映像情報スケーラ部と、前記字幕情報テーブルから抽出した複数の提示済字幕情報を配置した字幕履歴画面を形成する字幕履歴構成部と、通常レベルの映像情報またはレベル拡大・縮小した映像情報を選択するとともに、通常再生時の字幕情報または前記字幕履歴画面を選択する情報切替部と、前記情報切替部で選択した２つの情報を合成する情報合成部と、各部を統括制御するシステムコントローラと、キー操作により前記システムコントローラの制御内容を選択するリモートコントロール部とを備え、前記システムコントローラは、前記字幕履歴画面上の複数の字幕情報から所望の字幕情報が選択された際、その選択された字幕情報の提示時刻を前記字幕情報テーブルから取得し、前記光ディスクに記録されたナビゲーション情報を用いてそのコンテンツを前記提示時刻から頭出し再生する制御手段を備えているものである。
【００１３】
また、前記構成による光ディスク再生装置の字幕履歴構成部は、再生時間軸過去方向に提示順に画面上に複数個の提示済字幕情報を字幕履歴情報として列挙配置するもので、字幕履歴情報の再構成をする際、現在の複数個の提示済字幕情報を、全て変更して再構成するか、一部の提示済み字幕のみを入れ替えた再構成するかを選択的に切り替えることが可能に形成され、現在表示中の字幕履歴情報に所望の字幕情報がない場合に、前記のどちらかの再構成手段によって字幕履歴情報の再構成をするかを指示する提示済字幕情報再構成選択手段により前記字幕履歴構成部の再構成手段が選択されるものである。
【発明の効果】
【００１４】
以上のように、本発明に係る光ディスク再生装置によれば、通常再生中に、見落とした過去に画像表示された字幕情報や、映像情報の内容を把握するために、過去に表示された字幕情報を提示時刻とともに複数個字幕情報テーブルに保存させ、その字幕情報テーブルの保存情報を用いて検索性に優れた字幕履歴画面を形成し、形成した字幕履歴画面の表示内容を用いて過去の字幕情報を見直すことが容易にできるもので、ユーザが映像シーンの後戻りを行うことを希望せず、単に字幕情報だけを確認したいような場合においては、光ディスク再生装置のピックアップ制御等のコンテンツ頭出し処理に係わる諸制御の実行を省略することが可能になり、ユーザの操作感を損なうことなく、所望の要求に直ちに応えることができるという効果がある。
【００１５】
また、本発明に係る光ディスク再生装置によれば、字幕情報を検索した後で、その字幕情報を含んだ過去の映像シーンに遡った状態で字幕情報の内容を再確認することをユーザが希望する場合に、字幕情報テーブルから単位字幕毎にそれらの提示時刻を取得し、取得した時刻情報に基づいて当該字幕情報を含んだ映像シーンの頭出し再生を的確に行うことができるという効果がある。
【発明を実施するための最良の形態】
【００１６】
以下、本発明の光ディスク再生装置の実施の形態を図面を参照して説明する。
【００１７】
図１は、本発明の実施の形態に係る光ディスク再生装置の要部構成を示すブロック図であって、光ディスクがＤＶＤである例を示すものである。
【００１８】
図１に示すように、この実施の形態による光ディスク再生装置は、光ディスクを構成するＤＶＤ１と、光ディスクドライブ部２と、デマルチプレクサ（ＤＥＭＵＸ）３と、システムクロックカウンタ（ＳＴＣ）４と、音声復号部５と、映像復号部６と、字幕情報復号部７と、字幕情報テーブル８と、映像情報スケーラ部９と、字幕履歴構成部１０と、映像切替スイッチ１１と、字幕切替スイッチ１２と、信号合成部１３と、音声出力端子１４と、映像出力端子１５と、システムコントローラ１６と、リモコン受信器１７と、リモコン装置１８とからなっており、これらの構成要素は、図１に図示されるように相互接続されている。
【００１９】
この場合、ＤＶＤ１は、映画等の映像情報及び音声情報を含んだプレゼンテーション情報と、表示映像に重ねて表示される字幕情報及びその字幕情報の表示位置情報を含んだサブピクチャ情報と、コンテンツの再生制御に用いるナビゲーション情報が記録されているものであって、外国語による音声情報及び母国語による字幕情報とが記録されているものである。光ディスクドライブ部２は、ＤＶＤ１を回転駆動するスピンドルモータや、ＤＶＤ１の記録情報を読み出す光ピックアップ回路、データ復調回路、誤り訂正回路等の回路によって構成され、後続のデマルチプレクサ３にストリームデータを供給する。デマルチプレクサ３は、光ディスクドライブ部２より供給されたストリームデータをデータ種別毎に分離し、後続される３つの音声復号部５と、映像復号部６と、字幕復号部７とに対応するプレゼンテーション情報を供給する。この他に、デマルチプレクサ３において分離されたナビゲーション情報は、システムコントローラ１６に供給される。また、システムクロックリファレンス（ＳＣＲ）は、システムクロックカウンタ（ＳＴＣ）４のリセットを行うためにシステムクロックカウンタ４にロードされる。
【００２０】
音声復号部５は、デマルチプレクサ３から供給された圧縮音声情報を音声情報に復号し、得られた音声情報を内蔵のＤ／Ａ変換器を通して音声信号に変換し、音声出力端子１４を通して外部接続された図示されていない他の音響機器に音声信号を供給する。映像復号部６は、デマルチプレクサ３から供給された圧縮映像情報を映像情報に復号し、復号した映像情報を出力する。字幕復号部７は、デマルチプレクサ３から供給された字幕情報等のサブピクチャ情報を復号し、復号した字幕情報を出力するとともに、字幕情報（ビットマップデータ）と当該字幕情報の提示時刻情報であるＰＴＳとの組み合わせ情報を字幕情報テーブル８に供給し、そこに順次記憶させる。なお、音声復号部５、映像復号部６、字幕復号部７は、システムコントロール１６の制御により、任意の提示時刻に出力すべき映像信号と音声信号を頭出しする機能を備えている。
【００２１】
また、システムコントローラ１６は、デマルチプレクサ３から得たナビゲーション情報を利用して任意の提示時刻のプレゼンテーション情報を対応する音声復号部５、映像復号部６、字幕復号部７に供給するため、光ディスクドライブ部２に対して最適な読み出し制御を行っているもので、光ディスクドライブ部２の制御と任意の提示時刻に出力すべき音声復号部５、映像復号部６、字幕復号部７における頭出し復号機能とによって、ＤＶＤ１に記録されているコンテンツの途中の任意の提示時刻から頭出し再生することが可能になる。映像情報スケーラ部９は、システムコントローラ１６によって制御され、映像復号部６から出力された映像信号レベルを任意に拡大・縮小する機能を有する。字幕履歴構成部１０は、システムコントローラ１６によって制御され、字幕情報テーブル８に記憶されている字幕情報を複数個取得し、取得した複数個の字幕情報を任意の位置に配置し、字幕履歴を構成する機能を有する。
【００２２】
映像切替スイッチ１１は、システムコントローラ１６によってその切替が制御され、映像復号部６から出力された通常レベルの映像信号と、映像情報スケーラ部９によってスケーラ処理された映像信号とを選択的に切替えるもので、その切替によって得られた映像信号が信号合成器１３に供給される。また、字幕切替スイッチ１２は、システムコントローラ１６によってその切替が制御され、字幕復号部７から出力される通常再生時の字幕情報を備えた映像信号と、映像履歴構成部１０を通して形成された字幕履歴を備えた映像信号とを選択的に切替えるもので、その切替によって得られた映像信号が信号合成器１３に供給される。このとき、信号合成器１３は、映像切替スイッチ１１から供給される映像信号と字幕切替スイッチ１２の切替によって得られた字幕情報を含む映像信号とを合成し、一つの映像信号として映像出力端子１５を通して外部に出力する。映像出力端子１５には、図示しないディスプレイが接続され、そのディスプレイには、通常再生時の字幕を合成した映像の表示か、字幕リプレイ時の字幕履歴画面の再生表示が行われる。
【００２３】
リモコン受信部１７は、この光ディスク再生装置を遠隔制御するリモコン装置１８から送信される電波または光からなる制御命令を受信し、受信した制御命令をシステムコントローラ１６に供給する。システムコントローラ１６は、リモコン受信部１７から制御命令を受領すると、その制御命令の内容に応じて光ディスク再生装置の各部を制御する。なお、図１に図示されていないが、後述するように、リモコン装置１８に割り付けられた複数のキーと同様の機能を有する複数のキーを光ディスク再生装置側に配置するようにしても構わない。
【００２４】
ここで、図２は、図１に図示のリモコン装置１８における複数のキー配置の一例を示す上面図である。
【００２５】
図２に示されるように、このリモコン装置１８は、図２の上側領域に、十字カーソルキーを構成する上下左右の各部に配置された４つのキー２０及び４つのキー２０の中心部に配置された決定キー４１が配置され、図２の左側領域に字幕リプレイキー２２が、図２の右側領域に戻るキー２３がそれぞれ配置され、図２の下側領域に、早戻しキー２４と、再生キー２５と、早送りキー２６と、一時停止キー２７と、停止キー２８と、スローキー２９とがそれぞれ配置されている。
【００２６】
この場合、４つのキー２０は、字幕リプレイモード時に字幕履歴表示画面に表示されたカーソルを上下左右のいずれかの方向に移動するために使用するキーであり、決定キー４１は、字幕リプレイモード時に選択した字幕情報を含んだ映像シーンを頭出し再生する際に使用するキーである。字幕リプレイキー２２は、通常再生時に通常動作モードから字幕リプレイモードに移行する際に使用するキーである。戻るキー２３は、字幕リプレイモード時に字幕リプレイモードから通常再生動作に復帰する際に使用するキーである。早戻しキー２４、再生キー２５、早送りキー２６、一時停止キー２７、停止キー２８、スローキー２９のそれぞれは、既知の光ディスク装置に用いられるリモコン装置の各キーと同様に、ＤＶＤコンテンツの再生制御に使用するキーである。この中で、再生キー２５と停止キー２８は、字幕リプレイモード時に有効に機能するキーであって、字幕リプレイモード時における再生キー２５は、字幕リプレイモード時の戻るキー２３と同じ機能を有し、字幕リプレイモード時における停止キー２８は、通常再生時の停止キーの操作したのと同様に、ＤＶＤコンテンツの再生を停止する際に利用するキーである。字幕リプレイモード時においては、それ以外の再生制御キー２４、早送りキー２６、一時停止キー２７、停止キー２９の操作はいずれも無視される。なお、十字カーソルキー２０、決定キー２１、戻るキー２３は、字幕リプレイモード時以外の状態のときに他の機能が割り付けられるようにしても構わないし、図２には図示していないが、既知の光ディスク装置に用いられるリモコン装置で見られるように、電源キーや、入力切替えキー、テンキーなどを配置していても構わない。
【００２７】
次に、図１に図示された構成を有する光ディスク再生装置において、字幕リプレイ機能が実施された際の各部の動作について説明する。
【００２８】
ここで、図３は、字幕情報テーブル８に格納されている字幕情報とＰＴＳとの組み合わせ情報の情報構造を示す説明図であって、字幕情報テーブル８は、通常再生中に、字幕復号部７において復号された字幕情報（ビットマップデータ）と、当該字幕情報の提示タイミングを規定するＰＴＳを字幕情報毎に複数（Ｎ）個分を格納しているものである。
【００２９】
字幕情報テーブル８は、字幕復号部７が字幕切替スイッチ１２に出力する通常の字幕情報と当該通常の字幕情報のＰＴＳとの組み合わせ情報を順次取り込んで記憶するもので、字幕情報テーブル８に保持できる最大数複数（Ｎ）個まで記憶した後は、最も過去の組み合わせ情報が削除され、それに代わって最新の組み合わせ情報が格納される。具体的には、最新のデータエントリ３２に取り込んだ字幕情報［Ｎ−１］及びＰＴＳ［Ｎ−１］によって字幕情報テーブル８の収納量が満杯になった後、それに続く字幕情報［Ｎ］及びＰＴＳ［Ｎ］の記憶は、最も過去の字幕情報［０］及びＰＴＳ［０］が収納されているデータエントリ３１への上書き処理により行われる。このような字幕情報テーブル８における情報の更新処理は、通常再生中常時実行される。
【００３０】
通常再生時に、ユーザが字幕リプレイを所望して、図２に図示されるリモコン装置１８の字幕リプレイキー２２を押圧操作すると、システムコントローラ１６は、リモコン受信部１７を通して受信されたリモコン装置１８からの制御命令（コマンド）を解析し、その解析結果に基づいて光ディスク再生装置を字幕リプレイモードに移行させる。光ディスク再生装置が字幕リプレイモードに移行したとき、システムコントローラ１６が実行する光ディスクドライブ部２、音声復号部５、映像復号部６、字幕復号部７の制御は、通常再生時にリモコン装置１８の一時停止キー２７を操作したときと同様であり、映像情報及び音声情報の出力を一時停止させ、その後に再生キー２５が押圧操作されると、直ちに一時停止状態から通常再生の再開状態になるように各構成部を制御する。
【００３１】
次に、図４（ａ）乃至（ｃ）は、字幕リプレイモード時に表示される字幕履歴画面の構成例を示すもので、通常再生時から字幕リプレイモードに移行した際に、字幕履歴画面が順次変化するときの一例を示すものである。なお、これらの字幕履歴画面は、字幕履歴構成部１０によって形成されるもので、画面右側の領域に上から下に向かって複数（Ｌ）段に形成された字幕情報［０］乃至字幕情報［Ｌ］段と、これらの字幕情報［０］乃至字幕情報［Ｌ］段の四辺部にそれぞれ形成されたアイコン型カーソルと、画面左側の上部から中間部を若干超えた領域に形成された静止画からなる映像画面と、その映像画面の下側に並んで形成された決定アイコン及び戻るアイコンとからなっている。
【００３２】
始めに、図４（ａ）に示される字幕履歴画面４０は、通常再生時から字幕リプレイモードに移行した際に表示される字幕履歴画面である。この字幕履歴画面４０は、字幕履歴構成部１０が字幕情報テーブル８から最新のＰＴＳを有する字幕情報を含めて複数（Ｌ）個分の字幕情報を取得し、最新の字幕情報［０］を最上段４１に配置し、それ以降の段に字幕情報［１］、［２］、・・・・、［Ｌ−１］を提示時期が古くなるに従って下段になるように配置したものである。この字幕履歴画面を見ることにより、ユーザは、過去に表示された複数（Ｌ）個分の字幕情報を一度に静止状態で確認することができる。
【００３３】
この場合、字幕情報［０］乃至字幕情報［Ｌ］段の四辺部に形成されたアイコン型カーソル４２は、図２に図示されたリモコン装置１８の４つの十字カーソルキー２０に対応するものであって、図４（ａ）に図示の例では、最新の字幕情報［０］４１に対してアイコン型カーソル４２による強調表示が行われている状態を示している。そして、十字カーソルキー２０における上方向キーまたは下方向キーが押圧操作される度に、システムコントローラ１６から字幕履歴構成部１０に指示が送られ、アイコン型カーソル４２が上下方向に移動し、別の字幕情報を強調表示した画面が再構成される。なお、字幕情報の強調表示については、例えば、字幕情報の表示色を変えても良いし、字幕情報の表示サイズを変更しても良い。
【００３４】
いま、アイコン型カーソル４２の移動によって、最下段の字幕データ［Ｌ−１］４３が強調表示された状態のとき、リモコン装置１８の十字カーソルキー２０の下方向キーが続けて押圧操作された状態になると、字幕履歴構成部１０は、図４（ｂ）に示す字幕履歴画面を再構成し、字幕履歴画面を更新する。図４（ｂ）の字幕履歴画面は、図４（ａ）の字幕履歴画面における最新の字幕情報［０］４１の代わりに、字幕情報テーブル８より取得した字幕履歴データ［Ｌ］４４を含む複数（Ｌ）個の字幕情報を提示時刻順に、すなわち下方のものほど古くなるように再構成した更新字幕履歴画面である。この場合、再構成可能な字幕履歴画面は、字幕データテーブル８に収納されている字幕情報の数（Ｎ）の範囲を超えない限り、十字カーソルキー２０の下方向キーを押圧操作する度に、字幕情報を１つづつ、過去に遡っていくような形で字幕履歴画面が再構成される。一方、十字カーソルキー２０の上方向キーを押圧操作した場合も前述の場合と同様で、字幕情報が１つづつ未来に遡っていくような形で字幕履歴画面が再構成される。
【００３５】
次に、図４（ｂ）に図示のの字幕履歴画面が表示されている状態において、十字カーソルキー２０の右方向キーが押圧操作された場合に、字幕履歴構成部１０は、図４（ｃ）に図示するように字幕履歴を再構成した更新字幕履歴画面が得られる。図４（ｃ）に図示された字幕履歴画面は、図４（ｂ）の字幕情報に対して、以前に表示された字幕情報［Ｌ＋１］４９を含めた複数（Ｌ）個の字幕情報を字幕情報テーブル８から取得し、提示時刻順に、すなわち下方のものほど古くなるように配置した更新字幕履歴画面である。この場合も、字幕情報テーブル８に収納されている字幕情報の数（Ｎ）の範囲を超えない限り、十字カーソルキー２０の右方向キーを押圧操作する度に、字幕情報を複数（Ｌ）個単位で、過去に遡っていくような形で字幕履歴画面が再構成される。一方、十字カーソルキー２０の左方向キーを押圧操作した場合も同様であって、字幕を複数（Ｌ）個単位で、未来に遡っていくような形で字幕履歴画面が再構成される。
【００３６】
以上のように、リモコン装置１８の十字カーソルキー２０の上または下方向キーと、左または右方向キーに対して、それぞれ異なる単位量の字幕情報が更新されるようにそれらのキーに割り付けを行い、それにより字幕履歴画面を再構成するようにすれば、ユーザは所望の字幕情報を効率よく検索することが可能になる。なお、図４（ａ）、（ｂ）の字幕履歴画面上に示している三角形状のアイコン型カーソル４２、４４は、十字カーソルキー２０のキー操作により有効な方向を強調表示している状態を示している。
【００３７】
字幕リプレイモード時に、映像切替スイッチ１１及び字幕切替スイッチ１２は、システムコントローラ１６の制御により可動接点がそれぞれ図１の下側方向に切替られており、それにより、字幕履歴構成部１０によって形成された字幕履歴画面の形成情報は、図１に図示の信号合成部１３において映像情報スケーラ部９によって縮小された映像静止画面の形成情報と合成され、映像出力端子１５から図示されていないディスプレイに供給される。一方、通常再生時に、映像切替スイッチ１１及び字幕切替スイッチ１２は、システムコントローラ１６の制御により可動接点がそれぞれ図１の上側方向にに切替られており、それにより、映像復号部６から出力される映像情報スケーラ部９を通らない主映像画像情報と、字幕復号部７から出力される主映像画像情報に同期する通常字幕情報とが信号合成部１３で合成され、映像出力端子１５からディスプレイに供給される。
【００３８】
次に、図４に図示する字幕履歴画面を表示している状態において、字幕履歴中の任意の字幕情報を含んだ映像シーンを再生する場合について説明する。
【００３９】
例えば、図４（ｂ）の字幕情報［Ｌ］４８を含んだ映像シーンの再生を希望する場合、ユーザは、リモコン装置１８の十字カーソルキー２０の下方向キーを押圧操作して図４（ｂ）の最下段にある字幕情報を強調表示させ、決定キー２１を押圧操作する。このとき、システムコントローラ１６は、字幕リプレイモードにおいて決定キー２１が押圧操作されたことを認識すると、字幕履歴構成部１０に対して強調表示中の字幕情報のＰＴＳの取得を要求する。字幕履歴構成部１０は、強調表示中の字幕情報の位置情報からターゲットとなる字幕情報を取得し、当該字幕情報のＰＴＳをシステムコントローラ１６に伝送する。システムコントローラ１６は、ＰＴＳを受けると、そのＰＴＳをターゲットとした頭出し再生制御を光ディスクドライブ部２、音声復号部５、映像復号部６、字幕復号部７に対して適切に実行させ、映像切替スイッチ１１及び字幕切替スイッチ１２を切替制御し、所望の字幕情報を含んだ映像シーンを通常再生する状態に移行する。
【００４０】
この場合、リモコン装置１８の決定キー２１が押圧操作される代わりに、戻るキー２３が押圧操作された場合は、映像切替スイッチ１１及び字幕切替スイッチ１２を切替制御するとともに、光ディスクドライブ部２、音声復号部５、映像復号部６、字幕復号部７の一時停止状態を解除し、再生を再開する。
【００４１】
以上の動作経緯により、ユーザは、過去の字幕情報のみを見直すことにより字幕情報の内容を確認し、一時中断した通常再生を再開すること、及び、当該字幕情報を含む映像シーンを頭出し再生し、映像シーンとしての内容を確認することをそれぞれ選択することができる。
【００４２】
なお、字幕履歴画面を表示している際に、リモコン装置１８の決定キー２１または戻るキー２３が押圧操作されたときは、図４（ａ）の決定アイコン４６、戻るアイコン３５を強調表示した後、通常再生を行う状態に移行する。
【図面の簡単な説明】
【００４３】
【図１】本発明による光ディスク再生装置の実施の形態を示すブロック構成図である。
【図２】図１に図示された光ディスク再生装置に用いられるリモコンキー装置のキー配置の一例を示す上面図である。説明図である。
【図３】図１に図示された光ディスク再生装置に字幕情報テーブルのデータ構造の一例を示す説明図である。表示された字幕履歴画面の一例を示す
【図４】図１に図示された光ディスク再生装置に用いられる字幕履歴画面の表示内容の一例を示す説明図である。
【符号の説明】
【００４４】
１  光ディスク（ＤＶＤ）
２  光ディスクドライブ部
３  デマルチプレクサ（ＤＥＭＵＸ）
４  システムクロックカウンタ（ＳＴＣ）
５  音声復号部
６  映像復号部
７  字幕情報復号部
８  字幕情報テーブル
９  映像情報スケーラ部
１０字幕履歴構成部
１１  映像切替スイッチ
１２  字幕切替スイッチ
１３  信号合成部
１４  音声出力端子
１５  映像出力端子
１６  システムコントローラ
１７  リモコン受信器
１８  リモコン装置
【図１】
2007158959.tif 000003
【図２】
2007158959.tif 000004
【図３】
2007158959.tif 000005
【図４】
2007158959.tif 000006